(57)【要約】【課題】  本発明は、ユーザが指定した商品と比較対象とのサイズ比較を容易に行うことを目的とする。【解決手段】  本発明は、サーバと、ネットワークを介して前記サーバと接続されたユーザ端末とを備え、サイズ情報を可視化してユーザ端末に表示させるシステムであって、比較対象情報及び商品情報（サイズ情報を含む）を記憶する記憶手段と、ユーザ端末の入力手段を介してユーザが指定した商品に対応する前記商品情報及び比較対象情報に対応する前記商品情報に基づき、ユーザが指定した商品のイメージ及び比較対象のイメージをユーザ端末上に表示させる表示手段とを有することを特徴とするシステムである。【選択図】図７
2017168063.tif 000002
【特許請求の範囲】
【請求項１】
サーバと、ネットワークを介して前記サーバと接続されたユーザ端末とを備え、サイズ情報を可視化してユーザ端末に表示させるシステムであって、
比較対象情報及び商品情報（サイズ情報を含む）を記憶する記憶手段と、
ユーザ端末の入力手段を介してユーザが指定した商品に対応する前記商品情報及び比較対象情報に対応する前記商品情報に基づき、ユーザが指定した商品のイメージ及び比較対象のイメージをユーザ端末上に表示させる表示手段と、
を有することを特徴とするシステム。
【請求項２】
サーバと、ネットワークを介して前記サーバと接続されたユーザ端末とを備え、サイズ情報を可視化してユーザ端末に表示させるシステムであって、
比較対象情報及び商品情報（サイズ情報を含む）を記憶する記憶手段と、
ユーザ端末の入力手段を介してユーザが指定した商品に対応する前記商品情報及び比較対象情報に対応する前記商品情報に基づき、ユーザが指定した商品のイメージ及び比較対象のイメージのユーザ端末上における表示位置を制御し得る座標情報を計算する座標決定手段と、
前記座標情報に基づきユーザが指定した商品のイメージ及び比較対象のイメージをユーザ端末上に表示させる表示手段と、
を有することを特徴とするシステム。
【請求項３】
サーバと、ネットワークを介して前記サーバと接続されたユーザ端末とを備え、サイズ情報を可視化してユーザ端末に表示させるシステムであって、
前記サーバが、
比較対象情報及び商品情報（サイズ情報を含む）を記憶する記憶手段を備え、
前記ユーザ端末が
ユーザ端末の入力手段を介してユーザが指定した商品に対応する前記商品情報及び比較対象情報に対応する前記商品情報を前記サーバに要求し、前記サーバから受信する受信手段と、
受信した、ユーザが指定した商品に対応する前記商品情報及び比較対象情報に対応する前記商品情報に基づき、ユーザが指定した商品のイメージ及び比較対象のイメージのユーザ端末上における表示位置を制御し得る座標情報を計算する座標決定手段と、
前記座標情報に基づきユーザが指定した商品のイメージ及び比較対象のイメージをユーザ端末上に表示させる表示手段と、
を有することを特徴とするシステム。
【請求項４】
前記座標決定手段が、ユーザが指定した商品に係る座標情報及び比較対象に係る座標情報を計算する際に共通して用いられる基準座標を設定し、前記基準座標、ユーザが指定した商品に対応する前記商品情報及び比較対象情報に対応する前記商品情報に基づき、前記座標情報を計算することを特徴とする請求項２又は請求項３記載のシステム。
【請求項５】
前記基準座標が比較対象のイメージ及びユーザが指定した商品のイメージにおける肩に相当する箇所の略中心になるように、前記座標情報を構成する各座標を計算することを特徴とする請求項４記載のシステム。
【請求項６】
ユーザ端末の入力手段を介してユーザが指定した商品に対応する前記商品情報及び比較対象情報に対応する前記商品情報に基づき、ユーザが指定した商品と比較対象とのサイズの差異を、
サイズ情報を構成するサイズ属性毎に計算する差異算出手段と、
前記差異算出手段により算出された結果に基づき、ユーザが指定した商品と比較対象とのサイズの差異及び／又はサイズ比較に係る評価を表示する補足情報表示手段と、
をさらに含むことを特徴とする請求項１乃至５のいずれかに記載のシステム
【請求項７】
サーバと、通信端末とネットワークを介して前記サーバと接続されたユーザ端末とを備え、サイズ情報を可視化してユーザ端末に表示させるシステムにおいてユーザ端末として機能するコンピュータに、
ユーザ端末の入力手段を介してユーザが指定した商品に対応する商品情報（サイズ情報含む）及び比較対象情報に対応する商品情報（サイズ情報含む）をサーバに対して要求するステップと、
ユーザが指定した商品に対応する前記商品情報及び比較対象情報に対応する前記商品情報に基づき、ユーザが指定した商品のイメージ及び比較対象のイメージのユーザ端末上における表示位置を制御し得る座標情報を計算するステップと、
前記座標情報に基づきユーザが指定した商品のイメージ及び比較対象のイメージをユーザ端末上に表示させるステップと
を実行させることを特徴とするプログラム。
【請求項８】
サーバと、ネットワークを介して前記サーバと接続されたユーザ端末とを備え、サイズ情報を可視化してユーザ端末に表示させるシステムの制御方法であって、
比較対象情報及び商品情報（サイズ情報を含む）を記憶するステップと、
ユーザが指定した商品に対応する前記商品情報及び比較対象情報に対応する前記商品情報に基づき、ユーザが指定した商品のイメージ及び比較対象のイメージのユーザ端末上における表示位置を制御し得る座標情報を計算するステップと、
前記座標情報に基づきユーザが指定した商品のイメージ及び比較対象のイメージをユーザ端末上に表示させるステップと、
を含むことを特徴とするシステムの制御方法。
【請求項９】
サイズ情報を可視化してユーザ端末に表示させるシステムにおいてユーザ端末として機能するコンピュータに、
ユーザ端末の入力手段を介してユーザが指定した商品に対応する商品情報（サイズ情報含む）及び比較対象情報に対応する商品情報（サイズ情報含む）をサーバに対して要求するステップと、
受信した比較対象情報に対応する商品情報に基づき、商品を構成するサイズ属性１乃至サイズ属性ｎ（ｎは２以上の自然数）をユーザが選択可能な形式で表示し、ユーザのサイズ属性選択を受け付ける選択受付手段と、
表示されたサイズ属性１乃至サイズ属性ｎに対する選択をサイズ属性毎に１のみ選択可能とするように排他的に制御する選択対象制御手段と、
比較対象に係る座標情報及びユーザが指定した商品に係る座標情報を計算する際に共通して用いられる基準座標を設定し、前記基準座標、ユーザが指定した商品に対応する前記商品情報及び選択受付手段を介してユーザが選択した、ｎのサイズ属性に基づき、ユーザが指定した商品のイメージ及びユーザが選択した各サイズ属性を構成要素とする比較対象のイメージの、ユーザ端末上における表示位置を制御し得る座標情報を計算するステップと、
前記座標情報に基づきユーザが指定した商品のイメージ及び比較対象のイメージをユーザ端末上に表示させるステップと
を実行させることを特徴とするプログラム。
【発明の詳細な説明】
【技術分野】
【０００１】本発明はサイズ比較に係るシステム、プログラム又は方法に関する。
【背景技術】
【０００２】インターネット通販、通信販売等の電子商取引において、被服等を購入する場合、店舗での購入とは異なり実際に試着することによりサイズの確認をすることができないため、消費者は一般に購入を躊躇しがちである。【０００３】着丈、肩幅、身幅等のサイズ情報を商品ページ等に記載することにより上記問題に対応するインターネット通販サイトもみられる（例えば、非特許文献１参照）。
このようなインターネット通販サイトを利用する場合、ユーザは、サイズ情報と自分の体の各部位のサイズとを比較することにより、より自分の身体にフィットする服を購入することが可能となる。【０００４】しかしながら、この方法では、自分の体の各部位のサイズを予め把握しておかなければならず、自分の体の各部位のサイズを予め把握するとなると、ユーザにとっては手間である。
このような手間をかけない限り、商品を購入したものの、自分の身体にフィットしないという事態を招きかねない。【０００５】また、自分の体のサイズは日々変化するため、頻繁に自分の体の各部位のサイズを測り直さない限り、予め把握していたサイズと、商品購入時における実際のサイズとに差異が生じる可能性があり、商品を購入したものの、自分の身体にフィットしないという事態を招きかねない。
【先行技術文献】
【非特許文献】
【０００５】
【非特許文献１】ＺＯＺＯＴＯＷＮ  アイテム詳細  アイテムサイズ、［ｏｎｌｉｎｅ］、［平成２７年１２月１日検索］、インターネット＜ＵＲＬ：ｈｔｔｐ：／／ｚｏｚｏ．ｊｐ／ｓｈｏｐ／ａｂａｈｏｕｓｅ／ｇｏｏｄｓ−ｓａｌｅ／９０９７６６１／？ｄｉｄ＝２２９９６０７６＞
【発明の概要】
【発明が解決しようとする課題】
【０００６】上記事情に鑑み、本発明は、ユーザが指定した商品（例えば、購入予定の被服等）及び比較対象（例えば、購入・着用済みの被服等）のイメージをユーザの端末に表示することにより、ユーザが指定した商品と比較対象とのサイズ比較を容易に行うことができる、技術を提供することを目的とする。
【課題を解決するための手段】
【０００７】上記課題を解決するために、本発明に係るシステムは、サーバと、ネットワークを介して前記サーバと接続されたユーザ端末とを備え、サイズ情報を可視化してユーザ端末に表示させるシステムであって、比較対象情報及び商品情報（サイズ情報を含む）を記憶する記憶手段と、ユーザ端末の入力手段を介してユーザが指定した商品に対応する前記商品情報及び比較対象情報に対応する前記商品情報に基づき、ユーザが指定した商品のイメージ及び比較対象のイメージをユーザ端末上に表示させる表示手段とを有する。このような構成により本発明によれば、比較対象となる商品のイメージとユーザが指定した商品のイメージをユーザに対し視覚的に提供することができ、ユーザは両商品のサイズを容易に比較することができる。その結果、自分の身体にフィットしない被服の購入を避けることができ、フィットする被服を購入することができる。【０００８】上記課題を解決するために、本発明に係るシステムは、サーバと、ネットワークを介して前記サーバと接続されたユーザ端末とを備え、サイズ情報を可視化してユーザ端末に表示させるシステムであって、比較対象情報及び商品情報（サイズ情報を含む）を記憶する記憶手段と、ユーザ端末の入力手段を介してユーザが指定した商品に対応する前記商品情報及び比較対象情報に対応する前記商品情報に基づき、ユーザが指定した商品のイメージ及び比較対象のイメージのユーザ端末上における表示位置を制御し得る座標情報を計算する座標決定手段と、前記座標情報に基づきユーザが指定した商品のイメージ及び比較対象のイメージをユーザ端末上に表示させる表示手段とを有する。このような構成により本発明によれば、比較対象となる商品のイメージとユーザが指定した商品のイメージをユーザに対し視覚的に提供することができ、ユーザは両商品のサイズを容易に比較することができる。その結果、自分の身体にフィットしない被服の購入を避けることができ、フィットする被服を購入することができる。【０００９】ユーザが指定した商品に係る座標情報及び比較対象に係る座標情報を計算する際に共通して用いられる基準座標を設定し、前記基準座標、ユーザが指定した商品に対応する前記商品情報及び比較対象情報に対応する前記商品情報に基づき、前記座標情報を計算するようにしても良い。
このような構成により本発明によれば、上記の作用、効果に加え、比較対象となる商品のイメージとユーザが指定した商品のイメージを重ねて表示することができ、ユーザは両商品のサイズの差異をより容易に把握することができる。その結果、自分の身体にフィットしない被服の購入を避けることができ、フィットする被服を購入することができる。【００１０】前記基準座標が比較対象のイメージ及びユーザが指定した商品のイメージにおける肩に相当する箇所の略中心になるように、前記座標情報を構成する各座標を計算するようにしても良い。
このような構成により本発明によれば、上記の作用、効果に加え、一般的な服の構造上左右対称に作られており、また、肩に引っかける形で着用するのが通常であるから、被服を実際に着用した場合の両商品のサイズの差異をより容易に把握することができる。その結果、自分の身体にフィットしない被服の購入を避けることができ、フィットする被服を購入することができる。【００１１】ユーザが指定した商品と比較対象とのサイズの差異を、サイズ情報を構成するサイズ属性毎に計算するようにしても良い。また、この計算結果に基づき、サイズ比較に係る評価をさらに表示するようにしても良い。
このような構成により本発明によれば、上記の作用、効果に加え、イメージ画像と合せてサイズの差異やその差異に基づく評価が表示されるため、両商品のサイズの差異をより容易に把握することができる。その結果、自分の身体にフィットしない被服の購入を避けることができ、フィットする被服を購入することができる。【００１２】別の側面から捉えると、本発明は、サーバと、通信端末とネットワークを介して前記サーバと接続されたユーザ端末とを備え、サイズ情報を可視化してユーザ端末に表示させるシステムにおいてユーザ端末として機能するコンピュータに、ユーザ端末の入力手段を介してユーザが指定した商品に対応する商品情報（サイズ情報含む）及び比較対象情報に対応する商品情報（サイズ情報含む）をサーバに対して要求するステップと、ユーザが指定した商品に対応する前記商品情報及び比較対象情報に対応する前記商品情報に基づき、ユーザが指定した商品のイメージ及び比較対象のイメージのユーザ端末上における表示位置を制御し得る座標情報を計算するステップと、前記座標情報に基づきユーザが指定した商品のイメージ及び比較対象のイメージをユーザ端末上に表示させるステップとを実行させるプログラムということもできる。【００１３】別の側面から捉えると、本発明は、
サーバと、ネットワークを介して前記サーバと接続されたユーザ端末とを備え、サイズ情報を可視化してユーザ端末に表示させるシステムの制御方法であって、比較対象情報及び商品情報（サイズ情報を含む）を記憶するステップと、ユーザが指定した商品に対応する商品情報及び比較対象情報に対応する前記商品情報に基づき、ユーザが指定した商品のイメージ及び比較対象のイメージのユーザ端末上における表示位置を制御し得る座標情報を計算するステップと、前記座標情報に基づきユーザが指定した商品のイメージ及び比較対象のイメージをユーザ端末上に表示させるステップと、を含むシステムの制御方法ということもできる。
【発明を実施するための形態】
【００１４】以下、添付図面を適宜用いて、本発明の実施の形態について説明する。図１は、本発明の実施の形態にかかるサイズ比較システム（以下、「本システム」という）の構成を示す概略ブロック図である。図示するように、本システムは、スマートフォンなどの複数のユーザ端末１０（ユーザ端末１０ａ、１ｂ・・・１ｚ）と、サーバ２０と、通信ネットワーク３０とから構成される。ユーザ端末１０は、通信ネットワーク３０を介してサーバ２０と接続されている。ユーザ端末１０とサーバ２０とは、例えば、ハイパーテキスト転送プロトコル（Ｈｙｐｅｒｔｅｘｔ  Ｔｒａｎｓｆｅｒ  Ｐｒｏｔｏｃｏｌ，ＨＴＴＰ）等の各種通信プロトコルを用いて通信を行う。
【００１５】ユーザ端末１０はスマートフォンの他に、タブレット型パソコン、多機能携帯電話機、パーソナルコンピュータなどを含むがこれらに限られるものではない。
【００１６】図２は、ユーザ端末１０における構成例を模式的に表した図である。ユーザ端末１０は、端末通信部１１と、端末記憶部１２と、操作部１３と、表示部１４と、端末処理部１５とを備える。
【００１７】端末通信部１１は、所定の周波数帯を感受帯域とするアンテナを含む通信インターフェース回路を備える。
【００１８】端末通信部１１は、端末処理部１５から供給されたデータをサーバ２０に送信する。また、端末通信部１１は、サーバ２０から受信したデータを端末処理部１５に供給する。
【００１９】端末記憶部１２は、例えば、ハードディスク・ドライブ（ＨＤＤ）、半導体メモリ等から構成される。端末記憶部１２は、端末処理部１５での処理に用いられるオペレーティングシステムプログラム、アプリケーションプログラム、各種データ等を記憶する。各種データ等には、例えば、アプリケーションプログラムやブラウザのキャッシュなど所定の処理に係る一時的なデータが含まれる。
【００２０】操作部１３は、ユーザ端末１０の操作を可能とする、例えば、タッチパネル、キーボタン等である。操作部１３は、ユーザにより操作されると、その操作に対応する信号を発生させ、発生した信号は、ユーザの指示として、端末処理部１５に供給される。
【００２１】表示部１４は、映像、画像等の表示が可能とする、例えば、液晶ディスプレイ、有機ＥＬディスプレイ等である。
【００２２】端末処理部１５は、一又は複数個のプロセッサ及びその周辺回路を備える。端末処理部１５は、ユーザ端末１０の全体的な動作を統括的に制御するものであり、例えば、ＣＰＵである。端末処理部１５は、端末記憶部１２に記憶されているプログラム（オペレーティングシステムプログラム、アプリケーションプログラム等）に基づいて処理を実行する。
【００２３】ユーザ端末１０は、上で述べたように、ＣＰＵ、メモリなどのハードウエアとＯＳ及び各種アプリケーションプログラムとが有機的に協働することにより、各種機能を実現する。
【００２４】図３は、サーバ２０における構成例を模式的に表した図である。サーバ２０は、サーバ通信部２１と、サーバ記憶部２２と、サーバ処理部２３とを備える。
【００２５】なお、本実施例のサーバ２０は、所謂ＥＣサイトの機能、例えば、ウェブページの情報及び商品の情報を提供するためのウェブサーバ機能、必要なデータを取得、追加、削除等するためのデータベース機能、取引の決済を行うための決済機能及びユーザを認証するための認証機能を備えるものとする。なお、本実施例のようにサーバ２０は単一のサーバとして構成してもよいが、機能を分散させた複数のサーバとして構成してもよい。
また、適宜、複数のサーバ２０を設け、その複数のサーバ２０間の負荷を調整するためのロードバランサを設けてもよい。
【００２６】サーバ通信部２１は、サーバ２０を通信ネットワーク３０に接続するための通信インターフェース回路を備える。サーバ通信部２１は、ユーザ端末１０から受信したデータをサーバ処理部２３に供給する。また、サーバ通信部２１は、サーバ処理部２３から供給されたデータをユーザ端末１０に送信する。
【００２７】サーバ記憶部２２は、例えば、ハードディスク・ドライブ（ＨＤＤ）、半導体メモリから構成される。サーバ記憶部２２は、サーバ処理部２３での処理に用いられるオペレーティングシステムプログラム、アプリケーションプログラム、各種データ等を記憶する。
【００２８】各種データには、例えば、ユーザに関する情報を管理するユーザテーブル、商品に関する情報を管理する商品テーブル、比較商品情報を管理する比較対象テーブルが含まれる。また、ウェブページの内容を表すＨＴＭＬ文書、ユーザ端末上で動作するＪａｖａＳｃｒｉｐｔ（登録商標）ファイル、その他各種コンテンツ（商品画像、商品説明文など）が含まれる。
【００２９】図４は、サーバ記憶部２２に保存されているテーブルの例を示す図であり、（ａ）は、ユーザテーブルを、（ｂ）は、商品テーブルを、（ｃ）は、比較対象テーブルを模式的に示した図である。
【００３０】ユーザテーブルはユーザＩＤ、身長情報、注文商品情報といったデータ項目を備える。なお、本開示例ではユーザテーブルに注文商品情報をデータ項目として備えるようにしているが、これは便宜上のものであり、別途注文テーブルを作り、適宜注文テーブルや商品テーブルを参照等するようにしても良い。
【００３１】商品テーブルは、例えば、商品ＩＤ、商品名及び着丈、身幅、肩幅、袖丈等のサイズ情報といったデータ項目を備える。なお、本開示例ではトップスを想定したデータ項目を例として挙げているが、例えば、ボトムスの場合には、ウエスト、股上、股下、すそ周り、もも周り、ヒップ等のサイズ情報といったデータ項目を備える。商品のサイズ情報はこれらに限られるものではなく、また、商品テーブルは、その他のデータ項目を備えても良い。
【００３２】比較対象テーブルは、比較対象ＩＤ、ユーザＩＤ、商品ＩＤといったデータ項目を備える。比較対象情報（比較対象テーブルにおけるレコード）として登録されるものは、例えば、あるユーザが過去に注文をした商品に係る情報やお気に入り商品としてブックマークした商品に係る情報等が想定されるが、その他のものを登録するよう設定することも可能である。尚、本開示例では、比較対象情報に含まれる商品ＩＤを基に、商品テーブルから必要な商品情報を取得するようにしているが、比較対象情報が商品名やサイズ情報を含むように設計しても良い。
【００３３】サーバ処理部２３は、一又は複数個のプロセッサ及びその周辺回路を備える。サーバ処理部２３は、サーバ２０の全体的な動作を統括的に制御するものであり、例えば、ＣＰＵである。サーバ処理部２３は、サーバ記憶部２２に記憶されているプログラム（オペレーティングシステムプログラム、アプリケーションプログラム等）に基づいて処理を実行する。
【００３４】サーバ２０は、上で述べたように、ＣＰＵ、メモリなどのハードウエアとＯＳ及び各種アプリケーションプログラムとが有機的に協働することにより、各種機能を実現する。
【００３５】通信ネットワーク３０は、例えば、インターネット、基地局、移動体通信網及びゲートウェイ等から構成される。
【００３６】本システムの処理について説明する。なお、以下では、処理の流れをシーケンシャルに説明するが、特にこれにこだわるものではない。従って、動作に矛盾が生じない限り、処理の順序を入れ替えまたは並行動作するように構成しても良い。
【００３７】ユーザはユーザ端末１０のウェブブラウザ機能等を利用して本システムにアクセスする。
【００３８】初回アクセス時、ユーザは、本システムを利用するにあたり、会員登録を行う。会員登録の際にユーザは、ユーザＩＤ、パスワード、氏名、メールアドレス、商品の送付先情報（住所情報）、クレジットカード番号等の必要情報の他、任意で身長等の身体情報を登録することができる。
【００３９】ユーザＩＤ  Ｕ００１により特定されるユーザ（以下、ユーザＡという）がユーザ端末１０を利用してシステムにアクセス、ログインすると、スタートページとして商品の一覧がユーザ端末１０のディスプレイに表示される。なお、商品の検索メニュー、商品カテゴリメニュー等、インターネット通販サイトで一般的に用いられている表示、機能等についての説明は省略する。
【００４０】ユーザＡは、商品ＩＤ  Ｉ００１により特定される商品（以下、「商品Ａ」という）、商品ＩＤ  Ｉ００２により特定される商品（以下、「商品Ｂ」という）及び商品ＩＤ  Ｉ００３により特定される商品（以下、「商品Ｃ」という）について、過去に注文をし又はお気に入り商品としてブックマーク等しているものとし、図４（ｂ）のような比較対象情報が比較対象テーブルに記憶されているものとする。すなわち、ユーザＡに関して比較対象となり得る商品は、商品Ａ、商品Ｂ及び商品Ｃである。
【００４１】ユーザ端末１０上でタップ、クリックされるなどして商品の一覧の中から商品ＩＤ  Ｉ００４により特定される商品（以下、商品Ｄという）が選択されると、ユーザ端末１０はサーバ２０にＨＴＴＰリクエストを送信し、サーバ２０からＨＴＴＰレスポンスを受信する。別の側面から説明すると、サーバ２０はユーザ端末１０からＨＴＴＰリクエストを受信し、商品Ｄの詳細ページに係るＨＴＭＬ文書、ユーザ端末上で動作するＪａｖａＳｃｒｉｐｔ（登録商標）ファイル、その他各種コンテンツ（商品画像、商品説明文など）をユーザ端末１０に送信するとともに、ＨＴＴＰリクエストに含まれる商品ＩＤに基づき商品テーブルから商品Ｄに係る情報（商品名、サイズ情報（着丈、身幅、肩幅、袖丈等））を抽出し、ユーザ端末１０に送信する。また、ユーザＩＤを利用して比較対象テーブルから当該ユーザに該当するものを抽出し、抽出された比較対象情報の商品ＩＤを基に商品テーブルから比較対象となり得る商品に係る情報（商品名、サイズ情報（着丈、身幅、肩幅、袖丈等））を抽出し、ユーザ端末１０に送信する。
【００４２】なお、ユーザ端末１０は、比較対象となり得る商品に係る情報（商品名、サイズ情報（着丈、身幅、肩幅、袖丈等））をブラウザ内や端末アプリケーションプログラム内にキャッシュすることが可能である。この場合、以後、ユーザ端末１０・サーバ２０間における比較対象となり得る商品に関する通信を省略することができる。もちろん、比較対象テーブルの更新後の通信や一定周期の同期のための通信等を妨げる意味ではなく、都度、都度の通信を省略することができるという意味である。
【００４３】ユーザ端末１０はサーバ２０からＨＴＴＰレスポンスを受信すると、受信したＨＴＴＰレスポンスに基づき、商品Ｄの詳細ページをユーザ端末１０のディスプレイに表示する。
【００４４】商品Ｄの詳細ページには、タップ、クリック等がなされることで、座標計算ステップ及びイメージ描画ステップを含む関数を呼び出すフィッティングボタン等が設けられている。また、比較対象を複数選択し得る、リストボックス等が設けられている。当該関数は、例えば、サーバ２０から受信したＪａｖａＳｃｒｉｐｔ（登録商標）ファイル内に記述されている。イメージ描画ステップには、各種描画メソッドが含まれる。
【００４５】ユーザＡが上記リストボックス等をタップ、クリック等すると、比較対象となり得る商品である商品Ａ、商品Ｂ及び商品Ｃが展開される。ユーザＡは展開された比較対象となり得る商品の中から一又は複数の比較対象としたい商品を選択する。直近に着用した商品であって、体にフィットすると感じているものを選択するのが好ましい。
【００４６】図８は、上記リストボックス等をタップ、クリック等し、比較対象となり得る商品である商品Ａ、商品Ｂ及び商品Ｃが展開され、商品Ａ及び商品Ｃを複数選択した状態例を示している。
【００４７】比較対象となり得る商品の中から一又は複数の商品を選択した状態で、フィッティングボタンがタップ、クリック等されることにより、座標計算ステップ及びイメージ描画ステップを含む関数が呼び出される。その結果、ユーザが指定した商品及び比較対象となり得る商品のうち、ユーザが選択したものの比較イメージがユーザ端末のディスプレイ等に重ねて表示される。なお、展開された比較対象となり得る商品の中から商品がｎ個選択された場合、１＋ｎの商品イメージが重ねて表示されることになる（ｎは自然数）。
【００４８】仮に比較対象となり得る商品として展開された商品である、商品Ａ、商品Ｂ及び商品Ｃのうち、商品Ｂを選択した状態で、フィッティングボタンがタップ、クリック等された場合、関数に記述された座標計算ステップにおいて、ユーザ指定商品である商品Ｄに係るサイズ情報及び比較対象である商品Ｂのサイズ情報に基づき各座標情報を計算する。なお、ユーザが指定した商品Ｄのサイズ情報は着丈６５ｃｍ、身幅５５ｃｍ、肩幅４５ｃｍ、袖丈６５ｃｍであり、比較対象である商品Ｂのサイズ情報は着丈６２ｃｍ、身幅５５ｃｍ、肩幅５０ｃｍ、袖丈６０ｃｍである。
【００４９】（座標に関する説明）
所定の基準座標を（ａ，０）とし、着丈の値をＢＬとし、身幅の値をＢＷとし、肩幅の値をＳＷとし、袖丈の値をＡＬとした場合の各座標は、例えば、以下の通りである。なお、肩に相当する直線に対する垂直線と袖に相当する直線とがなす角はθであり、任意の値をＣａｎｖａｓにあらかじめ設定しておくものとする。Ｔは定数であり、点Ｅ（又は図６における点Ｑ）と直線ＢＫとの距離を意味する。Ｔは、Ｃａｎｖａｓにあらかじめ設定しておくものとする。Ｃａｎｖａｓは、ＪａｖａＳｃｒｉｐｔ（登録商標）が有する標準的な機能である。
【数１】
2017168063.tif 000003
【００５０】（座標に関する補足説明）
図５に示すように、線分ＢＫの長さは肩幅を意味し、線分ＢＣの長さは袖丈を意味し、線分ＥＨ（又は線分ＦＧ）の長さは身幅を意味し、点Ｂと直線ＦＧの距離は着丈を意味する。
Ｄｉｆｆ＝（ＢＷ−ＳＷ）÷２であり、ＢとＥ（又はＫとＨ）におけるｘ座標における差分を意味する。
図６に示すように、Ｄｉｆｆ÷ｔａｎθは、下袖の延長線（点線部分）と、肩に相当する直線に対する垂直線と、当該垂直線と直角をなす直線（Ｅを始点とする）とから構成される三角形ＰＱＥの線分ＰＱの長さを意味する。
図６に示すように、Ｔ−Ｄｉｆｆ÷ｔａｎθは、線分ＢＰの長さを意味する。
図６に示すように、（Ｔ−Ｄｉｆｆ÷ｔａｎθ）×ｓｉｎθは、袖の幅を意味する。なお、袖の幅をｘ要素、ｙ要素に分解した値及びｃの座標に基づきＤの座標は求められる（Ｉの座標も同様に求められる）。なお、図６は補足図としての意味合いで使用しているため、各部位の長さの比率等は考慮していない。
【００５１】上記計算により求められた各座標情報が引数としてＣａｎｖａｓの各種描画メソッドに対して供給される。各描画メソッドは所定の描画領域（ｗｉｄｔｈ、ｈｅｉｇｈｔで定義）に商品のイメージを描画する。
【００５２】描画メソッドは、例えば、ユーザ端末１０のＷｅｂブラウザ又はＷｅｂブラウザの機能を利用することによって実行可能なメソッドである。描画メソッドには、例えば、新しいサブパスの開始点を座標指定する「ｍｏｖｅＴｏ」、直前の座標と指定座標を結ぶ直線を引く「ｌｉｎｅＴｏ」、現在の線スタイルでサブパスを輪郭表示する「ｓｔｒｏｋｅ」等が存在する。なお、こうした描画メソッドの種類及び用法は例示であって、その他の種類の描画メソッドを適用することもできる。
【００５３】商品Ｄに係る各座標情報及び商品Ｂに係る各座標情報に基づき、ユーザ端末に表示されるイメージは図７に示すようなものになる。
【００５４】図７に示すように、濃い色で塗りつぶされている被服のイメージがユーザ指定商品である商品Ｄを意味し、色で塗りつぶされていない被服のイメージが比較対象である商品Ｂを意味する。
【００５５】図７に示すように、被服のイメージ画像だけでなく、補足情報として、各部位の差分や差分に基づく評価情報を文字又はイメージ表示するようにしても良い。ユーザ指定商品の方が大きい場合にはｘｃｍ長い、ユーザ指定商品の方が小さい場合にはｘｃｍ短い、差分が０である場合には、体にフィットすることを意味する表示として、例えば、「ぴったり」などの表示を行う。
【００５６】また、補足情報として、矢印等を表示するようにしても良い。
【００５７】さらに、図７に示すように、矢印の色を使い分けても良い。例えば、赤色の矢印は比較対象とサイズにおいて差異がないことを意味し、黄色の矢印は比較対象よりもサイズが大きいことを意味し、青色の矢印は比較対象よりもサイズが小さいことを意味する等である。
【００５８】図７に示すようなイメージがユーザ端末に表示されるため、ユーザは、指定した商品である商品のサイズと比較対象である商品のサイズとを容易に比較することができる。その結果、自分の身体にフィットしない被服の購入を避けることができ、フィットする被服を購入することができる。
【００５９】なお、当該実施例においては、サーバ２０から受信したサイズ情報に基づき、ユーザ端末１０において各座標を計算しているが、予めサーバ２０で各座標を計算し、サーバ記憶部に記憶しておいても良い。この場合、サーバ２０は、サイズ情報を送信する代わりに、座標情報を送信する。請求項記載のサイズ情報には、サイズ情報に基づき計算した座標情報も含まれ得るものとする。
【００６０】本開示例ではリストボックス等をタップ、クリック等し、展開された商品の中から商品単位で比較対象を選択可能としたが、例えば、図９に示すような、排他化したチェックボックス、ラジオボタン等を用いて、サイズ属性に分解して表示し、サイズ属性ごとに選択可能とするように設計してもよい。このような設計にすることで、自分の体にフィットしていると考える商品の各サイズ属性との比較が可能となる。別の言い方をすると、あるサイズ属性については全ての比較対象を通して１つしか選択できないようにすることで、選択された各商品のサイズ情報を統合する形で比較対象の商品イメージが表示されることになるので、サイズ的観点から考えた理想の服とのサイズ比較が可能となる。このような設計は、全ての部位において自分の体にフィットする商品がない場合、別の言い方をすれば、特定の部位においてのみ自分の体にフィットする商品が複数ある場合に、特に有益である。
【００６１】  例えば、商品Ａ、商品Ｂ及び商品Ｃの各属性情報が着丈、身幅、肩幅及び袖丈である場合、商品Ａの着丈を選択し、商品Ｂの着丈を選択し、商品Ｂの身幅を選択し、商品Ｃの肩幅を選択し、商品Ａの袖丈を選択した場合、商品Ｂの着丈の値、商品Ｂの身幅の値、商品Ｃの肩幅の値及び商品Ａの袖丈の値に基づき各座標を計算し、その結果を利用して比較対象のイメージを表示する。その結果、サイズ的観点から考えた理想の服とのサイズ比較が可能となる。なお、着丈については、商品Ａと商品Ｂが選択されているが、排他化したチェックボックス、ラジオボタン等を用いているため、後で選択された商品Ｂの着丈のサイズ情報が用いられることになる。
【００６２】本開示例では所謂ウェブサイト・ウェブアプリを想定して記載しているが、所謂ネイティブアプリや所謂ハイブリッドアプリとして開発することは任意に選択可能である。なお、ネイティブアプリとは、ＡｎｄｒｏｉｄならＪａｖａ、ｉＯＳならＯｂｊｅｃｔｉｖｅ−Ｃといったプラットフォーム独自の開発言語を用いて開発されるものをいい、ハイブリッドアプリとは、Ｗｅｂブラウザコンポーネントを用いてネイティブアプリにＷｅｂブラウザの機能を組み込んだものをいう。
【００６３】本開示例ではサイズ比較の対象は被服を想定して記載しているが、これ以外にも、寝具、敷物、文房具、食器、装飾品、靴、家電製品、乗り物などに適用可能であり、また、これらに限定されるものではない。
【００６４】以上、特定の実施形態について記載したが、記載された実施形態は一例に過ぎず、発明の範囲を限定するものではない。ここに記載された新規なシステム、プログラム及び方法等の技術は、様々な他の様式で具現化することができる。また、ここに記載されたシステム、プログラム及び方法等の技術の様式において、発明の要旨から逸脱しない範囲で、種々の省略、置換及び変更を行うことができる。
【００６５】本発明に係るプログラムは、例えばフレキシブルディスク、ＣＤ−ＲＯＭ、光磁気ディスク、半導体メモリ、ハードディスク等の記憶媒体又は記憶装置に格納可能である。尚、中間的な処理結果はメインメモリ等の記憶装置に一時保管可能である。
【００６６】上述した実施の形態に関し、さらに以下の付記を開示する。
（付記１）
サイズ情報を可視化してユーザ端末に表示させるシステムにおいてユーザ端末として機能するコンピュータに、
ユーザ端末の入力手段を介してユーザが指定した商品に対応する商品情報（サイズ情報含む）及び比較対象情報に対応する商品情報（サイズ情報含む）をサーバに対して要求するステップと、
比較対象に係る座標情報及びユーザが指定した商品に係る座標情報を計算する際に共通して用いられる基準座標を設定し、前記基準座標、ユーザが指定した商品に対応する前記商品情報及び比較対象情報に対応する前記商品情報に基づき、ユーザが指定した商品のイメージ及び比較対象のイメージのユーザ端末上における表示位置を制御し得る座標情報を計算するステップと、
前記座標情報に基づきユーザが指定した商品のイメージ及び比較対象のイメージをユーザ端末上に表示させるステップと
を実行させることを特徴とするプログラム。
【００６７】（付記２）
サーバと、ネットワークを介して前記サーバと接続されたユーザ端末とを備え、サイズ情報を可視化してユーザ端末に表示させるシステムの制御方法であって、
比較対象情報及び商品情報（サイズ情報を含む）を記憶するステップと、
比較対象に係る座標情報及びユーザが指定した商品に係る座標情報を計算する際に共通して用いられる基準座標を設定し、前記基準座標、ユーザが指定した商品に対応する商品情報及び比較対象情報に対応する前記商品情報に基づき、ユーザが指定した商品のイメージ及び比較対象のイメージのユーザ端末上における表示位置を制御し得る座標情報を計算するステップと、
前記座標情報に基づきユーザが指定した商品のイメージ及び比較対象のイメージをユーザ端末上に表示させるステップと、
を含むことを特徴とするシステムの制御方法。
【００６８】（付記３）
サイズ情報を可視化してユーザ端末に表示させるシステムにおいてユーザ端末として機能するコンピュータに、
ユーザ端末の入力手段を介してユーザが指定した商品に対応する商品情報（サイズ情報含む）及び比較対象情報に対応する商品情報（サイズ情報含む）をサーバに対して要求するステップと、
受信した比較対象情報に対応する商品情報に基づき、ユーザが選択可能な形式で比較対象商品を表示し、ユーザの商品選択を受け付ける選択受付手段と、
比較対象に係る座標情報及びユーザが指定した商品に係る座標情報を計算する際に共通して用いられる基準座標を設定し、前記基準座標、ユーザが指定した商品に対応する前記商品情報及び選択受付手段を介して選択された、比較対象情報に対応する前記商品情報に基づき、ユーザが指定した商品のイメージ及びユーザが選択した比較対象のイメージの、ユーザ端末上における表示位置を制御し得る座標情報を計算するステップと、
前記座標情報に基づきユーザが指定した商品のイメージ及び比較対象のイメージをユーザ端末上に表示させるステップと
を実行させることを特徴とするプログラム。
【００６９】（付記４）
サイズ情報を可視化してユーザ端末に表示させるシステムにおいてユーザ端末として機能するコンピュータに、
ユーザ端末の入力手段を介してユーザが指定した商品に対応する商品情報（サイズ情報含む）及び比較対象情報に対応する商品情報（サイズ情報含む）をサーバに対して要求するステップと、
受信した比較対象情報に対応する商品情報に基づき、商品を構成するサイズ属性１乃至サイズ属性ｎ（ｎは２以上の自然数）をユーザが選択可能な形式で表示し、ユーザのサイズ属性選択を受け付ける選択受付手段と、
表示されたサイズ属性１乃至サイズ属性ｎに対する選択をサイズ属性毎に１個のみ選択可能とするように排他的に制御する選択対象制御手段と、
比較対象に係る座標情報及びユーザが指定した商品に係る座標情報を計算する際に共通して用いられる基準座標を設定し、前記基準座標、ユーザが指定した商品に対応する前記商品情報及び選択受付手段を介してユーザが選択した、ｎ個のサイズ属性に基づき、ユーザが指定した商品のイメージ及びユーザが選択した各サイズ属性を構成要素とする比較対象のイメージの、ユーザ端末上における表示位置を制御し得る座標情報を計算するステップと、
前記座標情報に基づきユーザが指定した商品のイメージ及び比較対象のイメージをユーザ端末上に表示させるステップと
を実行させることを特徴とするプログラム。
【符号の説明】
【００７０】１０  ユーザ端末
１１  端末通信部
１２  端末記憶部
１３  操作部
１４  表示部
１５  端末処理部
２０  サーバ
２１  サーバ通信部
２２  サーバ記憶部
２３  サーバ処理部
３０  通信ネットワーク
【図面の簡単な説明】
【００７１】
【図１】本発明の実施の形態にかかるサイズ比較システムの構成を示す概略ブロック図である。
【図２】ユーザ端末１０における構成例を模式的に表した図である。
【図３】サーバ２０における構成例を模式的に表した図である。
【図４】データ格納部に格納された各種テーブルを模式的に表した図である。
【図５】各座標の関係を模式的に表した図である。
【図６】補足図である。
【図７】比較イメージが重ねて表示されている様子を模式的に表した図である。
【図８】商品詳細ページに表示されるリストボックス等をタップ、クリック等し、比較対象となり得る商品が展開された状態例を表した図である。
【図９】サイズ属性ごとに選択可能なラジオボタンの一例を表した図である。
【図１】
2017168063.tif 000004
【図２】
2017168063.tif 000005
【図３】
2017168063.tif 000006
【図４】
2017168063.tif 000007
【図５】
2017168063.tif 000008
【図６】
2017168063.tif 000009
【図７】
2017168063.tif 000010
【図８】
2017168063.tif 000011
【図９】
2017168063.tif 000012